(57)【要約】【課題】全体をアルミの押出材から形成されている従来のものに比べて安価な建物用庇を提供する。【解決手段】建物における庇取り付け壁面２に取り付けられる壁取り付け部材３と、この壁取り付け部材３に取り付け角度変更可能に係合するパネル取り付け用部材４と、このパネル取り付け用部材４に後端部が結合されるパネル周囲枠体５と、このパネル周囲枠体５で囲まれるように取り付けられるパネル部材６と、パネル周囲枠体５ならびにパネル部材６の取り付け角度を固定するために庇取り付け壁面２とパネル周囲枠体５との間を繋ぐためのステイ７とから構成されており、前記パネル周囲枠体５はパネル取り付け用部材４に前方に向かって開口するように形成された凹部４ｂに後部が差し込まれる後側枠体部１４と、前記凹部４ｂに後端部が差し込まれる左右枠体部１５，１６と、前側枠体部１７とからなる。【選択図】    図１
2006348672.tif 000002
【特許請求の範囲】
【請求項１】
建物における庇取り付け壁面に取り付けられる壁取り付け部材と、この壁取り付け部材に取り付け角度変更可能に係合するパネル取り付け用部材と、このパネル取り付け用部材に後端部が結合されるパネル周囲枠体と、このパネル周囲枠体で囲まれるように取り付けられるパネル部材と、パネル周囲枠体ならびにパネル部材の取り付け角度を固定するために庇取り付け壁面とパネル周囲枠体との間を繋ぐためのステイとから構成されており、前記パネル周囲枠体はパネル取り付け用部材に前方に向かって開口するように形成された凹部に後部が差し込まれる後側枠体部と、前記凹部に後端部が差し込まれる左右枠体部と、前側枠体部とからなり、それぞれの枠体部は上下部材で上下に２分割された状態に構成され、各枠体部はこれら上下部材を組み合わせた状態において外周面は閉じられているが内周面には前記パネル部材の外周を嵌め込むために凹部が形成され、この凹部にパネル部材の外周が嵌め込まれて支持されていることを特徴とする建物用庇。
【発明の詳細な説明】
【技術分野】
【０００１】
本発明は、建物の軒先などに直射日光や雨水などを遮るために取り付けられる建物用庇に関するものである。
【背景技術】
【０００２】
従来のこの種建物用庇としては、例えば特許文献１に開示されているように、軒内側端部を躯体固着面とし、軒外側端部に係合受構造を備えてなる基礎パネルと、軒内側端部に係合構造を設け、軒外側端部に係合受構造を備えてなる連結パネルと、軒内側端部に係合構造を備えてなる先端パネルとからなり、前記基礎パネルを躯体に固定し、この基礎パネルの軒外方向に係合構造と係合受構造とを係合することにより１又は２以上の連結パネル、若しくは先端パネルを連結し、連結パネルの軒外方向にはさらに係合構造と係合受構造とを係合することにより先端パネルを連結する構成を有する連結型庇が知られている。
【特許文献１】特開２０００−１４５０７８号公報
【発明の開示】
【発明が解決しようとする課題】
【０００３】
上記の特許文献１に開示されている連結型庇は基礎パネルと連結パネルと先端パネルとからなり、基礎パネルと連結パネルと先端パネルの全てがアルミの押出材から形成されていて、それぞれが一体構成となっており、前後方向の長さが長い庇にあっては、製造するための金型も大きいものが必要となり、コストが高くつくという問題があった。
【０００４】
本発明の目的は、このような課題を解決するものであり、全体をアルミの押出材から形成されている従来のものに比べて安価な建物用庇を提供することにある。
【課題を解決するための手段】
【０００５】
本発明の請求項１に記載の建物用庇は、建物における庇取り付け壁面に取り付けられる壁取り付け部材と、この壁取り付け部材に取り付け角度変更可能に係合するパネル取り付け用部材と、このパネル取り付け用部材に後端部が結合されるパネル周囲枠体と、このパネル周囲枠体で囲まれるように取り付けられるパネル部材と、パネル周囲枠体ならびにパネル部材の取り付け角度を固定するために庇取り付け壁面とパネル周囲枠体との間を繋ぐためのステイとから構成されており、前記パネル周囲枠体はパネル取り付け用部材に前方に向かって開口するように形成された凹部に後部が差し込まれる後側枠体部と、前記凹部に後端部が差し込まれる左右枠体部と、前側枠体部とからなり、それぞれの枠体部は上下部材で上下に２分割された状態に構成され、各枠体部はこれら上下部材を組み合わせた状態において外周面は閉じられているが内周面には前記パネル部材の外周を嵌め込むために凹部が形成され、この凹部にパネル部材の外周が嵌め込まれて支持されていることを特徴とする。
【発明の効果】
【０００６】
以上のように、本発明の建物用庇は、パネル部材の周囲を上下部材で上下に２分割されて組み合わされる後側枠体部と、左右枠体部と、前側枠体部とからなるパネル周囲枠体により囲まれて支持するようになっており、前記従来例の連結型庇のように全体をアルミの押出材から形成されているものに比べて安価な建物用庇を提供することができる。そして、パネル部材は取り替えが自在であり、且つガラス製、合成樹脂製、合板製、金属製などから用途に合わせて適宜選択することができる。
【発明を実施するための最良の形態】
【０００７】
以下、本発明の一実施の形態を、図１〜図７に基づいて説明する。
図において、本実施の形態の建物用庇１は、建物における庇取り付け壁面２に取り付けられる壁取り付け部材３と、この壁取り付け部材３に取り付け角度変更可能に係合するパネル取り付け用部材４と、このパネル取り付け用部材４に後端部が結合されるパネル周囲枠体５と、このパネル周囲枠体５で囲まれるように取り付けられるパネル部材６と、パネル周囲枠体５ならびにパネル部材６の取り付け角度を固定するために庇取り付け壁面２とパネル周囲枠体５との間を繋ぐためのステイ７とから構成されている。
【０００８】
前記壁取り付け部材３はアルミの押出材から形成され、庇取り付け壁面２に沿う鉛直部分３ａと、この鉛直部分３ａの上端より庇取り付け壁面２の前方に突出するように形成された下向き円弧状の突出部分３ｂと、前記鉛直部分３ａの下端に形成されたパネル取り付け用部材４との円弧状の係合部３ｃとを備え、前記鉛直部分３ａを壁面２に対し壁面２に埋設したアンカーボルト８にナット９を螺合させることにより取り付けるように構成されている。１０は壁取り付け部材３の上に被さるように壁取り付け部材３に係止されて設けられるアルミの押出材からなるカバー材で、このカバー材１０の後端部における鉛直部分３ａの上端の段部３ｄと庇取り付け壁面２との間の間隙にはパッキン１１が挿入されるとともにシーリング材１２により間隙が隠されている。また、カバー材１０の前端部は壁取り付け部材３の前端から突出し、この突出部の内面にパッキン１３が挿入されてパッキン１３の下端が前記パネル取り付け用部材４の上面に当接するように構成されている。
【０００９】
パネル取り付け用部材４もアルミの押出材から形成され、この上面は前記壁取り付け部材３の突出部分３ｂの円弧に沿うように円弧状に形成されている。また、パネル取り付け用部材４の下端には前記壁取り付け部材３の係合部３ｃに上から係合する円弧状の係合部４ａを備え、さらに中央部には前方に向かって開口する凹部４ｂを備えている。なお、パネル取り付け用部材４の下端は係合部４ａから前方に向かって突出してパネル周囲枠体５の後述する後側枠体部を受ける板部４ｃを備えている。
【００１０】
次に、前記パネル周囲枠体５は前記パネル取り付け用部材４の凹部４ｂに後部が差し込まれる後側枠体部１４と、凹部４ｂに後端部が差し込まれる左右枠体部１５，１６と、前側枠体部１７とからなり、それぞれの枠体部１４，１５，１６，１７はアルミの押出材からなる上下部材１８Ａ，１８Ｂで上下に２分割された状態に構成され、これら上下部材１８Ａ，１８Ｂを組み合わせた状態において外周面は閉じられているが内周面には前記パネル部材６の外周を嵌め込むために凹部１８ａが形成され、この凹部１８ａ内にはパネル部材６の外周を上下から挟む凸部１８ｂ，１８ｃが枠体部１４，１５，１６，１７の長さ方向に沿って２列状に形成されている。この凸部１８ｂ，１８ｃの内、左右枠体部１５，１６および前側枠体部１７の上下部材１８Ａ，１８Ｂの凸部１８ｂ，１８ｃと後側枠体部１４の下部材１８Ｂの凸部１８ｃは連続状態で形成され、後側枠体部１４の上部材１８Ａの凸部１８ｂは後加工により分断状態で等間隔おきに形成されている。この後側枠体部１４の凸部１８ｂが分断状態で等間隔おきに形成されているのは、凸部１８ｂ，１８ｂ間を水抜き孔とするためであって、後側枠体部１４の内部に入った水は下部材１８Ｂに後加工により形成された排水孔１８ｄより落下するようになっている。そして、前記パネル取り付け用部材４の板部４ｃの１箇所には前記排水孔１８ｄから落下した水を集める集水孔４ｄが後加工により形成され、この集水孔４ｄに下方に突出するように取り付けられる縦樋受け１９を縦樋２０の上端に差し込み、集水孔４ｄより排水できるようになっている。なお、左右枠体部１５，１６および前側枠体部１７の下部材１８Ｂには排水孔が形成されていない。
【００１１】
ところで、前記上下に２分割された枠体部１４，１５，１６，１７は上下部材１８Ａと１８Ｂがそれぞれ長さ方向適当間隔おきにビス２１にて互いに結合され、パネル取り付け用部材４とその凹部４ｂに差し込まれる後側枠体部１４の後部と、左右枠体部１５，１６の後端部との結合は凹部４ｂの背部の板部４ｅの背面から上下部材１８Ａと１８Ｂの当接部（後側枠体部１４の上下方向中央部および左右枠体部１５，１６の上下方向中央部）に向かってビス２２をねじ込むことにより行なわれる。なお、左右枠体部１５，１６の前端部と前側枠体部１７の両端部は４５度にカットされて突き合わされ、左右枠体部１５，１６の前端部と前側枠体部１７の両端部との突き合わ部におけるコーナー部にはＬ型のコーナー金具２３が差し込まれて両者間が結合されている。さらに、前記ステイ７はパネル周囲枠体５の左右枠体部１５，１６の上部材１８Ａ，１８Ａに一端がブラケット２４を介して連結され、他端は庇取り付け壁面２にブラケット２５を介して連結されている。このステイ７によってパネル周囲枠体５ならびにパネル部材６の取り付け角度を後側枠体部１４に向かって極く僅かに下降傾斜するように固定するものであり、パネル部材６の上に落ちた雨水は前記後側枠体部１４の凸部１８ｂ，１８ｂ間の水抜き孔から排水孔１８ｄ、集水孔４ｄ、縦樋２０を流れて排出されることになる。後側枠体部１４の両端後部における角は４５度にカットされており、この後側枠体部１４の上部材１８Ａの上に落ちた雨水は両端後部のカット部２６から前記パネル取り付け用部材４の板部４ｃ上に流れ落ち、パネル部材６の上に落ちた雨水と一緒に排出される。
【００１２】
なお図中、２７は前記パネル取り付け用部材４の両端部にビス２８止めにより取り付けられる蓋材、２９はこの蓋材２７の外側に重なるように壁取り付け部材３の両端部にビス３０止めにより取り付けられる蓋材である。
【００１３】
以上、図面に示す実施の形態について述べたが、前記パネル部材６を構成する材料としてはガラス、合成樹脂、合板、金属など特に限定されるものではないが、光を透過するガラスや合成樹脂からなるパネル部材６を使用することにより建物用庇１の下部を明るくすることができる。また、後側枠体部１４側で雨水を排出する代わりに前側枠体部１７側に前記後側枠体部１４側に設けた水抜き孔や排水孔を形成し、この前側枠体部１７の排水孔（下部材１８Ｂに形成される）に縦樋を繋ぎ、前側枠体部１７側が極く僅かに下降傾斜するようにパネル周囲枠体５の左右枠体部１５，１６をステイ７によって支持するようにしても良い。
【図面の簡単な説明】
【００１４】
【図１】本発明の一実施の形態における建物用庇の取り付け状態を示す斜視図である。
【図２】同建物用庇の平面図である。
【図３】図２のＡ−Ａ断面図である。
【図４】図２のＢ部拡大図である。
【図５】図４の要部拡大断面図である。
【図６】同パネル取り付け用部材の端部に蓋材を取り付けた状態を示す側面図である。
【図７】同壁取り付け部材の端部に蓋材を取り付けた状態を示す側面図である。
【符号の説明】
【００１５】
１              建物用庇
２              庇取り付け壁面
３              壁取り付け部材
３ａ            鉛直部分
３ｂ            突出部分
３ｃ            係合部
４              パネル取り付け用部材
４ａ            係合部
４ｂ            凹部
４ｃ            板部
５              パネル周囲枠体
６              パネル部材
７              ステイ
８              アンカーボルト
９              ナット
１０              カバー材
１４              後側枠体部
１５，１６        左右枠体部
１７              前側枠体部
１８Ａ            上部材
１８Ｂ            下部材
１８ａ            凹部
１８ｂ，１８ｃ    凸部
１８ｄ            排水孔
１９              縦樋受け
２０              縦樋
２１，２２        ビス
２６              カット部
２７，２９        蓋材
【図１】
2006348672.tif 000003
【図２】
2006348672.tif 000004
【図３】
2006348672.tif 000005
【図４】
2006348672.tif 000006
【図５】
2006348672.tif 000007
【図６】
2006348672.tif 000008
【図７】
2006348672.tif 000009